(57)【要約】【課題】回転子に装着されるマグネットの移動を防止するように固定することにより、工程移動時に揺れにより回転子が損傷することを防止し得る密閉型圧縮機の駆動モータを提供する。【解決手段】電源が印加される固定子３と、固定子３の磁化作用により回転し、複数のマグネット３２が所定間隔を置いて挿入される積層コア２２と積層コア２２の両側に固定される上／下部エンドプレート２３、２３ａとから形成される回転子２と、を包含し、上／下部エンドプレート２３、２３ａのうちの少なくとも何れか一つには、マグネット３２が積層コア２２の内部で移動することを防止する移動防止手段４０が形成されるように密閉型圧縮機の駆動モータを構成する。【選択図】      図１
2004173478.tif 000002
【特許請求の範囲】
【請求項１】
電源が印加される固定子と、
該固定子との磁化作用により回転する回転子であって、複数のマグネットが所定間隔を置いて挿入された積層コアと、前記積層コアの両方側に固定された上／下部エンドプレートと、を具備して形成される回転子と、を包含して構成され、
前記上／下部エンドプレートのうちの少なくとも何れか一つには、前記マグネットが積層コアの内部で移動することを防止するための移動防止手段が形成されることを特徴とする密閉型圧縮機の駆動モータ。
【請求項２】
前記移動防止手段は、前記上部エンドプレートの下方側方向に突出し、前記マグネットの上面に密着するノッチであることを特徴とする請求項１に記載の密閉型圧縮機の駆動モータ。
【請求項３】
前記移動防止手段は、下部エンドプレートの上方側方向に突出し、前記マグネットの下面に密着するノッチであることを特徴とする請求項１に記載の密閉型圧縮機の駆動モータ。
【請求項４】
前記移動防止手段は、前記上／下部エンドプレートに夫々下／上方側に突出し、前記マグネットの上／下面に夫々密着するノッチであることを特徴とする請求項１に記載の密閉型圧縮機の駆動モータ。
【請求項５】
前記ノッチは、前記マグネットに密着する先端がラウンディングされるように形成されることを特徴とする請求項２〜４のいずれか一項に記載の密閉型圧縮機の駆動モータ。
【請求項６】
前記移動防止手段は、パンチングを施すことによって前記上／下部エンドプレートの一部分が突出し、前記マグネットの上／下面に夫々密着するように形成されることを特徴とする請求項１に記載の密閉型圧縮機の駆動モータ。
【発明の詳細な説明】
【０００１】
【発明の属する技術分野】
本発明は、密閉型圧縮機に係るもので、詳しくは、駆動モータのマグネットの移動を防止しマグネットの損傷を防止し得る密閉型圧縮機の駆動モータに関するものである。
【０００２】
【従来の技術】
一般に、冷凍サイクル装置を構成する圧縮機は、蒸発器から流入する低温低圧状態の冷媒ガスを圧縮して高温高圧の状態にして吐出す機器をいい、このような作用を行なう密閉型圧縮機のうちで、冷凍サイクルで主に使用される圧縮機は、その圧縮方式によって回転式圧縮機と往復動式圧縮機とに大別される。
【０００３】
そして、回転式圧縮機のなかでも、エアコンのような電子機器の冷凍サイクル装置の冷媒圧縮に使用される密閉型の回転式圧縮機は、図５に示したように、密閉された収納空間が内部に形成されたケーシング１００と、ケーシング１００の内部に収納された回転子１２０及び固定子１３０からなる駆動モータ１４０と、回転子１２０の中心に軸方向に切削形成された貫通ホール１２１に嵌合された回転軸１５０と、を包含して構成されていた。
【０００４】
また、回転軸１５０の下方段には、偏心部１６０が一体に形成されて、偏心部１６０の外側にローリングピストン１７０が挿入され、ローリングピストン１７０の回転により冷媒ガスが圧縮される圧縮空間１８０を有するシリンダ（ｃｙｌｉｎｄｅｒ）１９０が形成され、このシリンダ１９０の上下両方の回転軸１５０に１対のベアリングプレート１９１、１９２が夫々嵌合されることによって圧縮部２００が構成されている。
【０００５】
また、上記の各ベアリングプレート中、第１ベアリングプレート１９１には、吐出ホール（ｄｉｓｃｈａｒｇｅ  ｈｏｌｅ）１９３が穿孔形成され、吐出ホール１９３の出口側にバルブ組立体（ｖａｌｖｅ  ａｓｓｅｍｂｌｙ）１９５が装着され、このバルブ組立体１９５の上部の第１ベアリングプレート１９１の上面には、吐出騷音を低減させるための消音器（ｍｕｆｆｌｅｒ）１９７が装着されている。
【０００６】
また、シリンダ１９０の側壁には吸入口１９９が切削形成され、この吸入口１９９側には、液冷媒の流入を防止するためのアキュムレータ（ａｃｃｕｍｕｌａｔｏｒ）２１０が管を介して装着され、ケーシング１００の上面には、圧縮部２００で圧縮された高圧の冷媒ガスを外部に吐出すための吐出管２２０が装着されている。
【０００７】
一方、図６及び図７に示したように、回転子（ｒｏｔａｔｏｒ）１２０は、中空円筒状に積層コア１２２が形成されて、積層コア１２２の上／下両方側に円状のエンドプレート（ｅｎｄｐｌａｔｅ）１２３、１２３ａが夫々固定され、それらのエンドプレート１２３、１２３ａの上／下側には、上／下部バランスウェイト１２４、１２５が夫々形成され、この上部バランスウェイト１２４の上方側には、分離可能な分離ディスク（ｄｅｔａｃｈａｂｌｅ  ｄｉｓｋ）１２６が結合されている。
【０００８】
また、積層コア１２２には、垂直にマグネット挿入ホール（ｍａｇｎｅｔ  ｉｎｓｅｒｔｉｎｇ  ｈｏｌｅ）１３１が所定角度に複数形成され、それらのマグネット挿入ホール１３１には、磁界形成のためのマグネット（ｍａｇｎｅｔ）１３２が夫々挿入されている。
【０００９】
以下、このように構成された従来の密閉型回転式圧縮機の動作について説明する。
【００１０】
先ず、電源が印加されると、駆動モータ１４０の回転子１２０が回転し、この回転子１２０の回転により回転軸１５０が回転する。
【００１１】
次いで、回転軸１５０の回転によりこの回転軸の下段の偏心部１６０と、偏心部１６０に係合されたローリングピストン１７０が回転することにより、シリンダ１９０の吸入口１９９から圧縮空間１８０の内部に吸入された低温低圧の冷媒ガスを高温高圧の冷媒ガスに圧縮する。
【００１２】
次いで、このように圧縮された高温高圧の冷媒ガスは、バルブ組立体１９５の消音器１９７の排出ホール１９８を通して密閉容器１００の内部に吐出され、この吐出された高温高圧の冷媒ガスは、回転子１２０及び固定子１３０の隙間を通過して吐出管２２０を通して外部に吐出される。
【００１３】
【発明が解決しようとする課題】
然るに、このように構成された従来の密閉型回転式圧縮機は、駆動モータ（ｄｒｉｖｉｎｇ  ｍｏｔｏｒ）１４０の回転子１２０に挿入される各マグネット１３２が、マグネット挿入ホール１３１に挿入されて、その上／下方側に上／下部エンドプレート１２３、１２３ａがマグネットの離脱防止のため装着されて構成されているが、使用中、各マグネット１３２がマグネット挿入ホール１３１の内側壁面と隔離することによりある程度移動が発生し、回転子（ｒｏｔａｔｏｒ）１２０の各部品を組立てた後、圧縮機の総組立工程に移動する場合の揺れにより移動が発生することにより、クラック又は破損が発生するという不都合な点があった。
【００１４】
本発明は、このような従来の課題に鑑みてなされたもので、回転子に装着されたマグネットの移動が発生しないように固定することにより、圧縮機の組立工程移動時に揺れにより回転子が損傷することを防止し得る密閉型圧縮機の駆動モータを提供することを目的とする。
【００１５】
【課題を解決するための手段】
このような目的を達成するため、本発明に係る密閉型圧縮機の駆動モータは、電源が印加される固定子と、該固定子との磁化作用により回転して、複数のマグネットが所定間隔を置いて挿入される積層コア並びに、該積層コアの両側に固定される上／下部エンドプレートから構成された回転子と、を包含して構成され、前記上／下部エンドプレート中、少なくとも何れか一方には、前記マグネットが積層コアの内部で移動することを防止する移動防止手段が形成されて構成されることを特徴とする。
【００１６】
【発明の実施の形態】
以下、本発明の実施の形態に対し、図面を用いて説明する。
【００１７】
本発明に係る密閉型圧縮機は、図１〜図４に示したように、ケーシング１の内部に回転子２及び固定子３からなる駆動モータ４と、回転子２の中心軸方向に穿孔形成された軸貫通ホール２１に嵌合された回転軸５と、回転軸５の下段に偏心部６が形成されて、偏心部６の外側に挿入されたローリングピストン７と、ローリングピストン７が回転により冷媒ガスを圧縮する圧縮空間８が形成されたシリンダ９と、シリンダ９の上下両方側の回転軸５に夫々嵌合された上／下部ベアリング１０、１１から構成されている。
【００１８】
また、上部ベアリング１０には、吐出ホール１０ａが穿孔形成され、この形成された吐出ホール１０ａの出口側には、バルブ組立体１２が装着され、バルブ組立体１２の上面には、吐出騷音を低減させるための消音器１３が装着されている。
【００１９】
また、シリンダ９の側壁には、吸入口９ａが切削形成され、この吸入口９ａ側には、液冷媒の流入を防止するためのアキュムレータ１７が管を介して装着され、ケーシング１の上面には、シリンダ９及びロータリピストンにより圧縮された高圧の冷媒ガスを外部に吐出すための吐出管２７が装着されている。
【００２０】
また、駆動モータ４は、電圧が印加される中空円筒状の固定子３と、固定子３の内部に回動自在に挿入されて複数のマグネット３２が所定間隔を置いて挿入される中空円筒状の積層コア２２と、各マグネット３２が積層コア２２から離脱することを防止するため、積層コア２２の上／下両面に夫々固定される上／下部エンドプレート２３、２３ａと、それらの上／下部エンドプレート２３、２３ａ中、少なくとも何れか一方に形成されて、マグネット３２が積層コア２２の内部で移動することを防止する移動防止手段４０から構成された回転子２と、を包含して構成されている。
【００２１】
即ち、回転子２には、積層コア２２の上／下両面にエンドプレート２３、２３ａが密着して固定され、それらのエンドプレート２３、２３ａの上／下両側には上／下部バランスウエート２４、２５が夫々形成され、上部バランスウエート２４の上方側には分離可能な分離ディスク２６が結合されている。
【００２２】
また、積層コア２２には、複数のマグネット挿入ホール３１が等間隔に夫々穿孔形成され、それらのマグネット挿入ホール３１に磁界を形成するためのマグネット３２が挿入され、それらのマグネット３２の上／下両面に移動防止手段４０を有する各エンドプレート２３、２３ａが夫々係合して支持されている。
【００２３】
このとき、移動防止手段４０は、積層コア２２に配置されるマグネット３２の配置態様によって適宜に形成されるが、図４に示したように、内側に突出するように形成されて、各マグネット３２が動かないようにマグネット３２の上／下側を加圧支持する構造であれば、どのような形態でも可能である。即ち、図３及びそのＡ−Ａ′断面を示す図４に示したように、移動防止手段４０は各上／下部エンドプレート２３、２３ａのそれぞれ下／上方側に突出してマグネット３２の上／下方側に夫々密着するノッチ部（ｎｏｔｃｈ  ｐｏｒｔｉｏｎ）として形成され、それらのノッチ部は、マグネット３２に密着する先端が丸くなるようにラウンディングされるように突出形成される。
【００２４】
以下、このように構成された本発明に係る密閉型圧縮機の駆動モータの動作について説明する。
【００２５】
固定子３に電源が印加されると、回転子２が回転し、回転子２に圧入された回転軸が回転する。
【００２６】
このとき、回転子２の積層コア２２の内部に装着された各マグネット３２は、マグネット挿入ホール３１から隔離する現象の発生を防止するように、回転子の上／下側に装着されたエンドプレート２３、２３ａの移動防止手段４０によりマグネットが隔離しないように加圧支持されているため、隔離が生じず、騷音も発生しない。
【００２７】
また、モータの組立過程で回転子２の各部品を組立てた後、圧縮機製品の組立工程に移動するときに揺れによりマグネット３２が損傷又は破損することが防止される。
【００２８】
また、移動防止手段４０をエンドプレート２３、２３ａのノッチ部として丸め加工するとき、パンチング作業により前記の上／下部エンドプレートの一部分を突出させれば良いので、移動防止手段４０を極めて簡便に形成することができる。
【００２９】
【発明の効果】
以上説明したように、本発明に係る密閉型回転式圧縮機においては、駆動モータの回転子の積層コアに複数のマグネット挿入ホールを穿孔形成し、それらのマグネット挿入ホールに夫々マグネットを挿入した後、それらのマグネットが離脱しないように上記の積層コアの上／下両側にエンドプレートを密着させるときに、それらのエンドプレートに移動防止手段を形成して、それらの移動防止手段によりマグネットの上／下側を加圧支持するため、回転子の各部品を組立てた後、圧縮機の組立工程に移動させるときに揺れ又は衝撃によりマグネットが損傷もしくは破損することを防止し得るという効果がある。
【図面の簡単な説明】
【図１】本発明に係る密閉型圧縮機の構造を示した縦断面図である。
【図２】本発明に係る駆動モータの回転子を示した縦断面図である。
【図３】本発明に係るエンドプレートを示した平面図である。
【図４】図３のＡ−Ａ′線縦断面図である。
【図５】従来の密閉型回転式圧縮機の構造を示した縦断面図である。
【図６】従来の駆動モータの回転子を示した縦断面図である。
【図７】図６の横断面図である。
【符号の説明】
２…回転子
３…固定子
２２…積層コア
２３、２３ａ…上／下部エンドプレート
３２…マグネット
４０…移動防止手段
【図１】
2004173478.tif 000003
【図２】
2004173478.tif 000004
【図３】
2004173478.tif 000005
【図４】
2004173478.tif 000006
【図５】
2004173478.tif 000007
【図６】
2004173478.tif 000008
【図７】
2004173478.tif 000009